(57)【要約】【課題】登録用二次元バーコードと読取用二次元バーコードとを一つの台紙に剥離可能に貼り合わせてあるので、両者を一体として取り扱うことができ、また該シートを一つの台紙に剥離可能に貼り合わせてあるので読取用二次元バーコードを逐次取り外して使用することができる動画配信用二次元バーコードシートを提供する。【解決手段】動画配信用二次元バーコードを担持したシートであって、該シートは動画登録用二次元バーコード担持領域と動画読取用二次元バーコード担体領域とに区分けし、該動画登録用二次元バーコード担持領域には、１つの動画の登録のみを行い得る登録用二次元バーコードを印刷し、動画読取用二次元バーコード担体領域には複数の読取のみを行い得る二次元バーコードを印刷し、裏面に粘着剤を塗布したシートと、剥離加工を施した台紙と剥離可能に貼り合わせ、且つ読取用二次元バーコードには個々に分離し得る切り込み線を設けてなることを特徴とする動画配信用二次元バーコードシート。【選択図】図１
0003130340.tif 000002
【実用新案登録請求の範囲】
【請求項１】
登録用二次元バーコードをカメラ機能付き携帯電話の二次元バーコードリーダーで読み取り、読み取った登録用メールアドレスに登録したい動画を添付してメールを送信してサーバへ登録し、該登録した動画を読取用二次元バーコードをカメラ機能付き携帯電話の二次元バーコードリーダーで読み取り、動画情報を登録しているサーバにアクセスして動画を再生視聴するシステムに用いる動画配信用二次元バーコードを担持したシートであって、該シートは動画登録用二次元バーコード担持領域と動画読取用二次元バーコード担体領域とに区分けし、該動画登録用二次元バーコード担持領域には、１つの動画の登録のみを行い得る登録用二次元バーコードを印刷し、動画読取用二次元バーコード担体領域には複数の読取のみを行い得る二次元バーコードを印刷し、裏面に粘着剤を塗布したシートと、剥離加工を施した台紙と剥離可能に貼り合わせ、且つ読取用二次元バーコードには個々に分離し得る切り込み線を設けてなることを特徴とする動画配信用二次元バーコードシート。
【請求項２】
台紙に上端又は側端に折り目を有して２つ折り可能な台紙に腰のある用紙を採用し、表面に印刷が施され、裏面の一方を動画登録用二次元バーコード担持領域とし、他方を動画読取用二次元バーコード担体領域としたことを特徴とする請求項１に記載の動画配信用二次元バーコードシート。
【請求項３】
上端折り目を有し表面に印刷が施され台紙の印刷が、折り目に対して上下が対称であり、かつ該上下対称の印刷が、１度の印刷で行われたことを特徴とする請求項２に記載の動画配信用二次元バーコードシート。
【考案の詳細な説明】
【技術分野】
【０００１】
本考案は、カメラ機能付き携帯電話を用いて動画を配信するシステムに用いる、動画登録用二次元バーコードと動画読取用二次元バーコードとを組み合わせて担持した動画配信用二次元バーコードシートに関する。
【背景技術】
【０００２】
携帯電話を用いた音声メッセージの受送信システムには、音声メッセージを登録するためのデータベースと、アクセス情報を発行する手段と、該アクセス情報と画像とを同一の媒体に記録させるプリント支持手段と、アクセス情報入力手段と、音声メッセージ入力手段と、音声メッセージ登録手段と、登録された音声メッセージ出力手段と、を備えたサービスサーバを用いて、予め登録されたユーザーから依頼された結婚写真等の画像をサーバに登録し、該サーバに携帯電話でアクセスして画像を受信し視聴した多数の仲間が寄せ書き風のメッセージを携帯電話でサーバに送信して音声メッセージを登録するためのデータベースに登録し、該音声メッセージと画像とを関連付けたデータベースを作成し、該データベースに寄せ書きした仲間などがアクセスして携帯電話で視聴するシステムが特許文献１に開示されている。
【０００３】
即ち、該システムにおいては、音入れ用のアクセス情報（画像）を発行し、このアクセス情報を表す二次元バーコードおよび所定の画像を記録した写真プリントを仲間に割らされ、各人の携帯電話で写真プリント上の二次元バーコードを認識して、ネットワークを介してサービスサーバにアクセスし仲間の携帯電話で録音した音声メッセージをサーバに入力すると音声メッセージはアクセス情報と関連付けされて登録され、その後聞き取り用のアクセス情報を用いてアクセスしたときには、登録された音声メッセージが携帯電話に配信されてくる。
しかしながら、上記のものは、静止画像とこれに寄せ書きした音声メッセージを受信し配信するものであり、趣にいま一つ欠けるものである。
近年の携帯電話の技術革新に目ざましいものがあり、音声メッセージを送受信する機能から、カメラ付き携帯電話となり、静止画像を送受信することから、さらには動画の送受信までも行われるようになってきている。
【０００４】
そこで、携帯電話の動画視聴機能と二次元コード読み取り機能とを活用して動画を配信しできるものして、登録用二次元バーコードと、これに対応する配布用の二次元コードとを有する携帯電話を活用した動画視聴システムであって、登録用の二次元コードを携帯電話の二次元コードリーダーで読み取り、ホストサーバにアクセスするステップとホストサーバに配布用の動画を登録ステップと、配布用の二次元コードを携帯電話で読み取り、動画を視聴するステップを含む動画視聴システムが特許文献２に開示されている。
該システムでは、年賀状、暑中見舞い、結婚の報告等の手紙や名刺等の印刷物に二次元コードを取り付け、この印刷物を友人等に送ると、受け取った友人等が二次元コードを携帯電話の二次元コードリーダーで読み取り、ホストサーバにアクセスすると動画を携帯電話で視聴することができると開示されているが、印刷物に二次元コードを取り付ける方法として、印刷、スタンプ印刷、シール等の方法が記載されているが、登録用二次元バーコードと読取用二次元バーコードとを１つのシートに担持させることについては何ら記載されておらず、示唆もない。
【０００５】
【特許文献１】特開２００５−２３６８７６号公報
【特許文献２】特開２００６−１５５０２６号公報
【考案の開示】
【考案が解決しようとする課題】
【０００６】
本考案は、動画の送配信を個人レベルで行える動画送配信システムに用いる二次元バーコードについて、登録用二次元バーコードと読取用二次元バーコードとをそれらの担持領域に分けて印刷し、１つのシートとすることにより、登録用二次元バーコードと読取用二次元バーコードとが分離して他の動画送配信用二次元バーコードと混ざり合って識別が不可能となる様なことがなく、両者を一体として取り扱うことができ、また該シートを一つの台紙に剥離可能に貼り合わせてあるので読取用二次元バーコードを逐次取り外して使用することができる動画配信用二次元バーコードシートを提供することを課題とする。
【課題を解決するための手段】
【０００７】
上記課題を解決するために、本考案者は鋭意検討を重ねた結果、動画送配信システムの用いる登録用二次元バーコードと読取用二次元バーコードとを両者の担持領域に分けて印刷し、該印刷シートの裏面に粘着剤を塗布して粘着層を設け、該印刷シートを剥離加工を施した台紙と貼り合わせて一体化したシートすることにより、上記課題を解決し得ることを見出し本考案を完成するに到った。
【０００８】
即ち、本考案の第１は、登録用二次元バーコードをカメラ機能付き携帯電話の二次元バーコードリーダーで読み取り、読み取った登録用メールアドレスに登録したい動画を添付してメールを送信してサーバへ登録し、該登録した動画を読取用二次元バーコードをカメラ機能付き携帯電話の二次元バーコードリーダーで読み取り、動画情報を登録しているサーバにアクセスして動画を再生視聴するシステムに用いる動画配信用二次元バーコードを担持したシートであって、該シートは動画登録用二次元バーコード担持領域と動画読取用二次元バーコード担体領域とに区分けし、該動画登録用二次元バーコード担持領域には、１つの動画の登録のみを行い得る登録用二次元バーコードを印刷し、動画読取用二次元バーコード担体領域には複数の読取のみを行い得る二次元バーコードを印刷し、裏面に粘着剤を塗布したシートと、剥離加工を施した台紙と剥離可能に貼り合わせ、且つ読取用二次元バーコードには個々に分離し得る切り込み線を設けてなることを特徴とする動画配信用二次元バーコードシート、である。
【０００９】
また本考案の第２は、台紙に上端又は側端に折り目を有して２つ折り可能な台紙に腰のある用紙を採用し、表面に印刷が施され、裏面の一方を動画登録用二次元バーコード担持領域とし、他方を動画読取用二次元バーコード担体領域としたことを特徴とする上記第１に記載の動画配信用二次元バーコードシート、である。
更に、本考案の第３は、上端折り目を有し表面に印刷が施され台紙の印刷が、折り目に対して上下が対称であり、かつ、該上下対称の印刷が施された台紙であり、該印刷が１度の印刷で行われることを特徴とする上記第２に記載の動画配信用二次元バーコードシート、である。
【考案の効果】
【００１０】
本考案によれば、登録用二次元バーコードと読取用二次元バーコードとをそれらの担持領域に分けて印刷し、１つのシートとすることにより、登録用二次元バーコードと読取用二次元バーコードとが分離して他の動画送配信用二次元バーコードと混ざり合って葉書等への貼付を取り違えることがなく、販売などで両者を一体として取り扱うことができ、また読取用二次元バーコードを逐次取り外して使用することができるので必要枚数を使用することが可能であり、また、２つ折りのシートにおいては、取扱が容易であると共に、二次元バーコード印刷が内面に施されているので印刷面を保護することができる。
【考案を実施するための最良の形態】
【００１１】
本考案の動画配信用二次元バーコードシートは、概略を図３に示すような動画送配信用の使用システムに用いられるものである。
即ち、（ア）先ず各店舗等で購入した本考案のシートを購入する。本考案のシートにつては、後述する実施例で詳しく説明する。（イ）一方、結婚式におけるウエディングケーキへの入刀の様子、子供の初参りや七五三祝いのお宮参り様子などを友達や親戚に配信したい動画を携帯電話で撮影する。（ウ）本考案のシートより、動画登録用二次元バーコードを携帯電話の二次元バーコードリーダーにより読み取り、動画を添付してホストサーバに送信して、ホストサーバに登録して、動画登録を完了する。該登録は、最初に送信した携帯電話からであれば、限られた期間内であれば何度でも登録変更ができる。（エ）動画登録者は、読取用二次元バーコードを逐次本考案のシートより剥がして、葉書等に貼り、友達、親戚などに配布する。（オ）葉書等に貼った読取用二次元バーコードを受け取った友達、親戚などは、該読取用二次元バーコードを読み取りホストサーバにアクセスして動画を視聴する。
【実施例】
【００１２】
以下に、実施例を用いて本考案を更に具体的に説明するが、本考案はこれら実施例により何ら限定されるものではない。
［実施例１］
図１に本考案の１実施例である動画配信用二次元バーコードシート（以下、単に「二次元バーコードシート」という。）の正面図、および断面図を示す。
該二次元バーコードシートは、予め説明文（７）と二次元バーコードとコード番号（６）を印刷したシート（２）であって、上部に登録用二次元バーコード（３）を担持した動画登録用二次元バーコード担持領域と、その下部に動画読取用二次元バーコード（４）を担持した動画読取用二次元バーコード担体領域とに区分けし、該動画登録用二次元バーコード担持領域には１つの動画登録用二次元バーコード（３）を印刷し、動画読取用二次元バーコード担体領域には複数（本例では２０個）の動画読取用二次元バーコード（４）を印刷してなる二次元バーコードシートである。
そして、印刷を施された該シート（２）の裏面には粘着剤を塗布して粘着層を形成し、該シートを剥離加工を施した台紙（１）と貼り合わせて二次元バーコードシートを構成する。また、動画読取用二次元バーコード（４）の個々の外周辺部には、個々の二次元バーコードが逐次取り外せるように個々に分離し得る切り込み線（５）が設けられている。
説明文（７）や領域区分け線などは、各シートに共通しているので、予め一括して印刷を施しておけるが、二次元バーコード（３）、（４）とコード番号（６）は、個々のシートにおいて順次変化してしていくので、例えば紙幣の番号を印刷する様に、シート毎に順次変えて印刷する。
【００１３】
［実施例２］
図２には、本考案の他の態様として二次元バーコードを示し、、台紙の上端に折り目（９）を有して２つ折り可能な台紙に腰のある用紙（１）を採用し、外面にシート名、使用方法説明文などの印刷が施され、内面の一方を動画登録用二次元バーコード（３）担持領域とし、他方を動画読取用二次元バーコード（４）担体領域とした動画配信用二次元バーコードシートである。
更に、上端折り目を有し外面に印刷が施され台紙の印刷（シート名、使用方法説明文など）が、折り目に対して上下が対称に印刷が施された台紙であって、該台紙の印刷が１度の印刷で行われることを特徴とするものである。
【産業上の利用可能性】
【００１４】
本考案の動画配信用二次元バーコードシートは、該シートに印刷された二次元バーコードをカメラ機能付き携帯電話を用いてのホストサーバを介した動画の送信受信の際の、アクセスコードとして優位に用いられる。
【図面の簡単な説明】
【００１５】
【図１】本考案における動画配信用二次元バーコードシートの一態様例の正面及び断面を示す概略図である。
【図２】本考案における動画配信用二次元バーコードシートの他の態様例の表面斜視図及び裏面斜視図正面である。
【図３】本考案の動画配信用二次元バーコードシートを用い動画送配信用の使用システムの概略図である。
【符号の説明】
【００１６】
１  剥離加工された台紙
２  粘着層を有する印刷シート
３  動画登録用二次元バーコード
４  動画読取用二次元バーコード
５  切り込み
６  コード番号
７  説明文
８  粘着層
９  折り曲げ線
【図１】
0003130340.tif 000003
【図２】
0003130340.tif 000004
【図３】
0003130340.tif 000005